【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
通信方法であって、
アクセスポイントにおいて、アクセスポイントに関連付けられたオペレータのためのオペレータ識別子を決定することと、
前記アクセスポイントにおいて、前記オペレータ識別子が組み込まれたオペレータ識別子基準信号を搬送するようにリソースエレメントのセットを構成することと、ここにおいて、前記構成することは、前記オペレータ識別子に基づいて前記リソースエレメントのセットを選択することを備え、
前記アクセスポイントから、アクセス端末に前記構成されたリソースエレメントのセットを使用して前記オペレータ識別子基準信号を送信することと
を備える、方法。
【請求項２】
前記オペレータ識別子は、公衆陸上移動ネットワーク識別子（ＰＬＭＮ ＩＤ）に対応する、請求項１に記載の方法。
【請求項３】
前記リソースエレメントのセットは、強化型発見基準信号（ｅＤＲＳ）サブフレームの一部を形成する、請求項１に記載の方法。
【請求項４】
前記選択することは、前記アクセスポイントに関連付けられたセル識別子にさらに基づく、請求項１に記載の方法。
【請求項５】
前記構成することは、前記オペレータ識別子に基づいて前記リソースエレメントのセットをスクランブルすることを備える、請求項１に記載の方法。
【請求項６】
前記スクランブルすることは、前記アクセスポイントに関連付けられたセル識別子にさらに基づく、請求項５に記載の方法。
【請求項７】
前記構成することは、
別の基準信号のために前記リソースエレメントのセットをスケジューリングすることと、
前記オペレータ識別子基準信号のために前記スケジューリングされたリソースエレメントのセットを再利用することと
を備える、請求項１に記載の方法。
【請求項８】
前記別の基準信号は、チャネル状態情報基準信号（ＣＳＩ−ＲＳ）に対応する、請求項７に記載の方法。
【請求項９】
前記リソースエレメントのセットは、対応するリソースブロックに少なくとも８個のリソースエレメントを備える、請求項１に記載の方法。
【請求項１０】
アクセスポイントであって、
前記アクセスポイントに関連付けられたオペレータのためのオペレータ識別子を決定するための手段と、
前記オペレータ識別子が組み込まれたオペレータ識別子基準信号を搬送するようにリソースエレメントのセットを構成するための手段と、ここにおいて、前記構成することは、前記オペレータ識別子に基づいて前記リソースエレメントのセットを選択することを備え、
前記アクセスポイントからアクセス端末に、前記構成されたリソースエレメントのセットを使用して前記オペレータ識別子基準信号を送信するための手段と
を備える、アクセスポイント。
【請求項１１】
通信方法であって、
アクセス端末において、オペレータ識別子に基づいて選択されるリソースエレメントのセット上でアクセスポイントからのシグナリングを受信することと、
前記アクセス端末において、オペレータ識別子基準信号について前記シグナリングをモニタすることと、
前記アクセス端末において、前記オペレータ識別子基準信号に基づいて、前記アクセスポイントに関連付けられたオペレータのための前記オペレータ識別子を決定することと
を備える、方法。
【請求項１２】
前記モニタすることは、好ましいオペレータ識別子に基づいて、モニタするための前記リソースエレメントのセットを選択することを備える、請求項１１に記載の方法。
【請求項１３】
前記モニタすることは、好ましいオペレータ識別子に基づいて前記リソースエレメントのセット上の前記シグナリングをデスクランブルすることを備える、請求項１１に記載の方法。
【請求項１４】
前記モニタすることは、
別の基準信号のためにスケジューリングされるものとして前記リソースエレメントのセットを識別することと、
前記オペレータ識別子基準信号について前記スケジューリングされたリソースエレメントのセットをモニタすることと
を備える、請求項１１に記載の方法。
【請求項１５】
アクセス端末であって、
オペレータ識別子に基づいて選択されるリソースエレメントのセット上でアクセスポイントからのシグナリングを受信するための手段と、
オペレータ識別子基準信号について前記シグナリングをモニタするための手段と、
前記オペレータ識別子基準信号に基づいて、前記アクセスポイントに関連付けられたオペレータのためのオペレータ識別子を決定するための手段と
を備える、アクセス端末。
【手続補正２】
【補正対象書類名】明細書
【補正対象項目名】００７４
【補正方法】変更
【補正の内容】
【００７４】
[0083]  先の開示は様々な例示的な態様を示しているが、添付の特許請求の範囲によって定められた範囲から逸脱せずに、例示された例に対して様々な変更および修正がなされ得ることが留意されるべきである。本開示は、特定的に例示された例のみに限定されるように意図されたものではない。例えば、別途記載されていない限り、本明細書で説明された本開示の態様にしたがう方法の請求項の機能、ステップ、および／またはアクションは、任意の特定の順序で行われる必要はない。さらに、ある特定の態様は、単数形で説明され得るまたは特許請求され得るが、単数形への限定が明記されていない限り、複数形が企図されている。
以下に本願の出願当初の特許請求の範囲に記載された発明を付記する。
［Ｃ１］  通信方法であって、
アクセスポイントに関連付けられたオペレータのためのオペレータ識別子を決定することと、
前記オペレータ識別子が組み込まれたオペレータ識別子基準信号を搬送するようにリソースエレメントのセットを構成することと、
前記アクセスポイントから、前記構成されたリソースエレメントのセットを使用して前記オペレータ識別子基準信号を送信することと
を備える、方法。
［Ｃ２］  前記オペレータ識別子は、公衆陸上移動ネットワーク識別子（ＰＬＭＮ ＩＤ）に対応する、Ｃ１に記載の方法。
［Ｃ３］  前記リソースエレメントのセットは、強化型発見基準信号（ｅＤＲＳ）サブフレームの一部を形成する、Ｃ１に記載の方法。
［Ｃ４］  前記構成することは、前記オペレータ識別子に基づいて前記リソースエレメントのセットを選択することを備える、Ｃ１に記載の方法。
［Ｃ５］  前記選択することは、前記アクセスポイントに関連付けられたセル識別子にさらに基づく、Ｃ４に記載の方法。
［Ｃ６］  前記構成することは、前記オペレータ識別子に基づいて前記リソースエレメントのセットをスクランブルすることを備える、Ｃ１に記載の方法。
［Ｃ７］  前記スクランブルすることは、前記アクセスポイントに関連付けられたセル識別子にさらに基づく、Ｃ６に記載の方法。
［Ｃ８］  前記構成することは、
別の基準信号のために前記リソースエレメントのセットをスケジューリングすることと、
前記オペレータ識別子基準信号のために前記スケジューリングされたリソースエレメントのセットを再利用することと
を備える、Ｃ１に記載の方法。
［Ｃ９］  前記別の基準信号は、チャネル状態情報基準信号（ＣＳＩ−ＲＳ）に対応する、Ｃ８に記載の方法。
［Ｃ１０］  前記リソースエレメントのセットは、対応するリソースブロックに少なくとも８個のリソースエレメントを備える、Ｃ１に記載の方法。
［Ｃ１１］  通信装置であって、
少なくとも１つのプロセッサと、
前記少なくとも１つのプロセッサに結合された少なくとも１つのメモリと、前記少なくとも１つのプロセッサおよび前記少なくとも１つのメモリは、
アクセスポイントに関連付けられたオペレータのためのオペレータ識別子を決定することと、
前記オペレータ識別子が組み込まれたオペレータ識別子基準信号を搬送するようにリソースエレメントのセットを構成することと
を行うように構成され、
前記アクセスポイントから、前記構成されたリソースエレメントのセットを使用して前記オペレータ識別子基準信号を送信するように構成された少なくとも１つのトランシーバと
を備える、装置。
［Ｃ１２］  前記オペレータ識別子は、公衆陸上移動ネットワーク識別子（ＰＬＭＮ ＩＤ）に対応する、Ｃ１１に記載の装置。
［Ｃ１３］  前記少なくとも１つのプロセッサおよび前記少なくとも１つのメモリは、前記オペレータ識別子に基づいて前記リソースエレメントのセットを選択するように構成される、Ｃ１１に記載の装置。
［Ｃ１４］  前記少なくとも１つのプロセッサおよび前記少なくとも１つのメモリは、前記オペレータ識別子に基づいて前記リソースエレメントのセットをスクランブルするように構成される、Ｃ１１に記載の装置。
［Ｃ１５］  前記少なくとも１つのプロセッサおよび前記少なくとも１つのメモリは、
別の基準信号のために前記リソースエレメントのセットをスケジューリングすることと、
前記オペレータ識別子基準信号のために前記スケジューリングされたリソースエレメントのセットを再利用することと
を行うように構成される、Ｃ１１に記載の装置。
［Ｃ１６］  通信方法であって、
リソースエレメントのセット上でアクセスポイントからのシグナリングを受信することと、
オペレータ識別子基準信号について前記シグナリングをモニタすることと、
前記オペレータ識別子基準信号に基づいて、前記アクセスポイントに関連付けられたオペレータのためのオペレータ識別子を決定することと
を備える、方法。
［Ｃ１７］  前記オペレータ識別子は、公衆陸上移動ネットワーク識別子（ＰＬＭＮ ＩＤ）に対応する、Ｃ１６に記載の方法。
［Ｃ１８］  前記リソースエレメントのセットは、強化型発見基準信号（ｅＤＲＳ）サブフレームの一部を形成する、Ｃ１６に記載の方法。
［Ｃ１９］  前記モニタすることは、好ましいオペレータ識別子に基づいて、モニタするための前記リソースエレメントのセットを選択することを備える、Ｃ１６に記載の方法。
［Ｃ２０］  前記選択することは、前記アクセスポイントに関連付けられたセル識別子にさらに基づく、Ｃ１９に記載の方法。
［Ｃ２１］  前記モニタすることは、好ましいオペレータ識別子に基づいて前記リソースエレメントのセット上の前記シグナリングをデスクランブルすることを備える、Ｃ１６に記載の方法。
［Ｃ２２］  前記デスクランブルすることは、前記アクセスポイントに関連付けられたセル識別子にさらに基づく、Ｃ２１に記載の方法。
［Ｃ２３］  前記モニタすることは、
別の基準信号のためにスケジューリングされるものとして前記リソースエレメントのセットを識別することと、
前記オペレータ識別子基準信号について前記スケジューリングされたリソースエレメントのセットをモニタすることと
を備える、Ｃ１６に記載の方法。
［Ｃ２４］  前記別の基準信号は、チャネル状態情報基準信号（ＣＳＩ−ＲＳ）に対応する、Ｃ２３に記載の方法。
［Ｃ２５］  前記リソースエレメントのセットは、対応するリソースブロックに少なくとも８個のリソースエレメントを備える、Ｃ１６に記載の方法。
［Ｃ２６］  通信装置であって、
リソースエレメントのセット上でアクセスポイントからのシグナリングを受信するように構成された少なくとも１つのトランシーバと、
少なくとも１つのプロセッサと、
前記少なくとも１つのプロセッサに結合された少なくとも１つのメモリと
を備え、前記少なくとも１つのプロセッサおよび前記少なくとも１つのメモリは、
オペレータ識別子基準信号について前記シグナリングをモニタすることと、
前記オペレータ識別子基準信号に基づいて、前記アクセスポイントに関連付けられたオペレータのためのオペレータ識別子を決定することと
を行うように構成された、装置。
［Ｃ２７］  前記オペレータ識別子は、公衆陸上移動ネットワーク識別子（ＰＬＭＮ ＩＤ）に対応する、Ｃ２６に記載の装置。
［Ｃ２８］  前記少なくとも１つのプロセッサおよび前記少なくとも１つのメモリは、好ましいオペレータ識別子に基づいて、モニタするための前記リソースエレメントのセットを選択するように構成される、Ｃ２６に記載の装置。
［Ｃ２９］  前記少なくとも１つのプロセッサおよび前記少なくとも１つのメモリは、好ましいオペレータ識別子に基づいて前記リソースエレメントのセット上の前記シグナリングをデスクランブルするように構成される、Ｃ２６に記載の装置。
［Ｃ３０］  前記少なくとも１つのプロセッサおよび前記少なくとも１つのメモリは、
別の基準信号のためにスケジューリングされるものとして前記リソースエレメントのセットを識別することと、
前記オペレータ識別子基準信号について前記スケジューリングされたリソースエレメントのセットをモニタすることと
を行うように構成される、Ｃ２６に記載の装置。